(57)【特許請求の範囲】
【請求項１】
走行体の支持構造部材を形成する支持フレームと、該支持フレームの後側に搭載されたエンジンと、前記支持フレームの前側に位置して左，右方向の一側に配置されオペレータが搭乗するキャブと、前記支持フレームの左，右方向の他側に配置され前記エンジンに供給する燃料または油圧系統に用いる作動油を貯える貯油タンクと、該貯油タンクの前側に位置して前記支持フレーム上に設けられた物品収容箱と、前記エンジンの排気管に設けられ排気ガス中の窒素酸化物を除去する尿素選択還元触媒と、還元剤である尿素水を貯えるために中空な容器からなる尿素水タンクと、該尿素水タンクと前記エンジンの排気管との間を接続する接続配管とを備えてなる建設機械において、
前記貯油タンクは、外周面を形成する角筒形または円筒形の周壁面板と、該周壁面板の下面を閉塞する下面板と、前記周壁面板の上面を閉塞し周壁面板よりも外側に張出したフランジ部を有する上面板とにより形成し、
前記周壁面板の外周面側には、前記上面板のフランジ部の範囲で上，下方向に投影される余剰空間部を形成し、
前記尿素水タンクは、前記余剰空間部のうち、前記貯油タンクと前記物品収容箱との間の余剰空間部に入り込んだ状態で前記貯油タンクに添って配置し、
前記貯油タンクと前記物品収容箱との間には、前記尿素水タンクを外側から覆い隠した状態で覆う前カバーを設ける構成としたことを特徴とする建設機械。
【請求項２】
前記貯油タンクは、前記下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成し、
前記上面板には、前記第１の板体と第２の板体との前，後方向の寸法差により、前記前面板、後面板よりも前，後方向に張出したフランジ部を形成し、
前記尿素水タンクは、前記貯油タンクの前面板の外周側に位置して前記上面板の前記フランジ部の範囲で上，下方向に投影される余剰空間部に入り込んだ状態で配置する構成としてなる請求項１に記載の建設機械。
【請求項３】
前記貯油タンクは、前記下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成し、
前記上面板、左面板および右面板には、前記第１の板体と第２の板体との前，後方向の寸法差により、前記前面板、後面板よりも前，後方向に張出したフランジ部をそれぞれ形成し、
前記尿素水タンクは、前記貯油タンクの前面板の外周側に位置して前記上面板の前記フランジ部の範囲で上，下方向に投影されると共に、前記左面板と右面板の前記フランジ部の範囲で左，右方向に投影される余剰空間部に入り込んだ状態で配置する構成としてなる請求項１に記載の建設機械。
【発明の詳細な説明】
【技術分野】
【０００１】
本発明は、排気ガス中の窒素酸化物を除去するための尿素選択還元触媒と尿素水タンクを搭載した油圧ショベル等の建設機械に関する。
【背景技術】
【０００２】
一般に、建設機械の代表例である油圧ショベルは、自走可能な下部走行体と、該下部走行体上に旋回可能に搭載され上部旋回体と、該上部旋回体の前側に俯仰動可能に設けられた作業装置とによって構成されている。
【０００３】
また、上部旋回体は、支持構造部材をなす旋回フレームと、該旋回フレームの後側に搭載されたエンジンと、前記作業装置の左側に添うように前記旋回フレームの左前側に設けられたキャブとを備え、該キャブ内には、オペレータが着座する運転席等が設けられている。
【０００４】
また、旋回フレームには、作業装置の右側に位置して前記エンジンに供給する燃料を貯える燃料タンクが設けられ、該燃料タンクの前側には、工具、グリースガン、各種消耗品等の物品を収容する物品収容箱が設けられている。
【０００５】
一方、油圧ショベルのエンジンにはディーゼルエンジンが用いられている。このディーゼルエンジンは、窒素酸化物（以下、ＮＯｘという）等を多く排出するとされている。そこで、ディーゼルエンジンの排気ガスの後処理装置として、ＮＯｘを浄化するためのＮＯｘ浄化装置がある。このＮＯｘ浄化装置は、例えばエンジンの排気管に設けられ排気ガス中の窒素酸化物を除去する尿素選択還元触媒と、還元剤としての尿素水溶液を貯える尿素水タンクと、該尿素水タンク内の尿素水溶液を尿素選択還元触媒の上流側に噴射する尿素噴射弁と、前記尿素水タンクと尿素噴射弁とを接続する接続配管とにより大略構成されている。
【０００６】
ここで、油圧ショベルに尿素水タンクを設ける場合、給水回数を少なくするために容量を大きく設定することが望まれる。しかし、油圧ショベルには多くの機器が搭載されているから、新たに尿素水タンクを設置するスペースを確保するのは困難である。そこで、従来技術による油圧ショベルには、工具等を収容する物品収容箱内に尿素水タンクを収容する構成としたものがある（例えば、特許文献１参照）。
【先行技術文献】
【特許文献】
【０００７】
【特許文献１】特開２００８−２４０６７６号公報
【発明の概要】
【発明が解決しようとする課題】
【０００８】
ところで、上述した特許文献１によるものでは、物品収容箱内に尿素水タンクを収容する構成としているから、容量を大きくした場合、物品収容箱の容量が小さくなり、工具や消耗品を収容できなくなるという問題がある。
【０００９】
また、物品収容箱内に尿素水タンクを収容した場合、物品収容箱内の工具等が邪魔になって尿素水タンクにアクセスし難くなる虞があり、給水作業に手間を要してしまうという問題がある。
【００１０】
本発明は上述した従来技術の問題に鑑みなされたもので、本発明の目的は、物品収容箱を小さくすることなく、大容量の尿素水タンクを容易にアクセスできる位置に設けることにより、尿素水を給水するときの作業性を向上できるようにした建設機械を提供することにある。
【課題を解決するための手段】
【００１１】
本発明による建設機械は、走行体の支持構造部材を形成する支持フレームと、該支持フレームの後側に搭載されたエンジンと、前記支持フレームの前側に位置して左，右方向の一側に配置されオペレータが搭乗するキャブと、前記支持フレームの左，右方向の他側に配置され前記エンジンに供給する燃料または油圧系統に用いる作動油を貯える貯油タンクと、該貯油タンクの前側に位置して前記支持フレーム上に設けられた物品収容箱と、前記エンジンの排気管に設けられ排気ガス中の窒素酸化物を除去する尿素選択還元触媒と、還元剤である尿素水を貯えるために中空な容器からなる尿素水タンクと、該尿素水タンクと前記エンジンの排気管との間を接続する接続配管とを備えている。
【００１２】
そして、上述した課題を解決するために、請求項１の発明が採用する構成の特徴は、前記貯油タンクは、外周面を形成する角筒形または円筒形の周壁面板と、該周壁面板の下面を閉塞する下面板と、前記周壁面板の上面を閉塞し周壁面板よりも外側に張出したフランジ部を有する上面板とにより形成し、前記周壁面板の外周面側には、前記上面板のフランジ部の範囲で上，下方向に投影される余剰空間部を形成し、前記尿素水タンクは、前記余剰空間部のうち、前記貯油タンクと前記物品収容箱との間の余剰空間部に入り込んだ状態で前記貯油タンクに添って配置し、前記貯油タンクと前記物品収容箱との間には、前記尿素水タンクを外側から覆い隠した状態で覆う前カバーを設ける構成としたことにある。
【００１４】
請求項２の発明は、前記貯油タンクは、前記下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成し、前記上面板には、前記第１の板体と第２の板体との前，後方向の寸法差により、前記前面板、後面板よりも前，後方向に張出したフランジ部を形成し、前記尿素水タンクは、前記貯油タンクの前面板の外周側に位置して前記上面板の前記フランジ部の範囲で上，下方向に投影される余剰空間部に入り込んだ状態で配置する構成としたことにある。
【００１５】
請求項３の発明は、前記貯油タンクは、前記下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成し、前記上面板、左面板および右面板には、前記第１の板体と第２の板体との前，後方向の寸法差により、前記前面板、後面板よりも前，後方向に張出したフランジ部をそれぞれ形成し、前記尿素水タンクは、前記貯油タンクの前面板の外周側に位置して前記上面板の前記フランジ部の範囲で上，下方向に投影されると共に、前記左面板と右面板の前記フランジ部の範囲で左，右方向に投影される余剰空間部に入り込んだ状態で配置する構成としたことにある。
【発明の効果】
【００１７】
請求項１の発明によれば、貯油タンクは、外周面を形成する角筒形または円筒形の周壁面板と、該周壁面板の下面を閉塞する下面板と、前記周壁面板の上面を閉塞し周壁面板よりも外側に張出したフランジ部を有する上面板とにより形成することにより、前記周壁面板の外周面側には、上面板のフランジ部の範囲で上，下方向に投影される余剰空間部を形成することができる。そして、尿素水タンクは、前記余剰空間部のうち、前記貯油タンクと前記物品収容箱との間の余剰空間部に入り込んだ状態で前記貯油タンクに添って配置することができる。これにより、貯油タンクの前側の余剰空間部と、貯油タンクと物品収容箱との間の空間部とを利用し、容量の大きな尿素水タンクを配置することができる。
【００１８】
従って、尿素水タンクは、貯油タンクに形成される余剰空間部を利用し、この余剰空間部に入り込むことにより、尿素水タンクを物品収容箱に収容したり、物品収容箱を小型化したりすることなく、尿素水タンクの容量を大きくすることができる。
【００１９】
この結果、尿素水タンクの容量を大きくした場合でも、物品収容箱の容量を確保できるから、工具、消耗品等を十分に収容することができる。また、尿素水タンクは、前記貯油タンクに添って配置しているから、尿素水を充填するときに容易にアクセスすることができ、尿素水を給水するときの作業性を向上することができる。しかも、貯油タンクと物品収容箱との間には、前記尿素水タンクを外側から覆い隠した状態で覆う前カバーを設けているから、尿素水タンクは、該前カバーによって覆い隠すことができ、外観上の見栄えを良好にすることができる。
【００２１】
請求項２の発明によれば、貯油タンクは、下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成しているから、２枚の板体によって中空容器を形成することができる。
【００２２】
この場合、上面板には、第１の板体と第２の板体との前，後方向の寸法差により、前面板、後面板よりも前，後方向に張出したフランジ部を形成することができるから、尿素水タンクは、前記貯油タンクの前面板の外周側に位置して前記上面板の前記フランジ部の範囲で上，下方向に投影される余剰空間部に入り込んだ状態で配置することができる。これにより、周囲の部材の設置スペースを侵害することなく、容量の大きな尿素水タンクを配置することができる。
【００２３】
請求項３の発明によれば、貯油タンクは、下面板の前，後方向の両側から前面板と後面板とがそれぞれ上側に延びたＵ字状の第１の板体と、該第１の板体の前，後方向寸法よりも大きな前，後方向寸法を有し前記上面板の左，右方向の両側から左面板と右面板とがそれぞれ下側に延びた逆Ｕ字状の第２の板体とを接合することにより構成しているから、２枚の板体によって中空容器を形成することができる。
【００２４】
この場合、上面板、左面板および右面板には、第１の板体と第２の板体との前，後方向の寸法差により、前面板、後面板よりも前，後方向に張出したフランジ部をそれぞれ形成することができるから、尿素水タンクは、前記貯油タンクの前面板の外周側に位置して前記上面板の前記フランジ部の範囲で上，下方向に投影されると共に、前記左面板と右面板の前記フランジ部の範囲で左，右方向に投影される余剰空間部に入り込んだ状態で配置することができる。これにより、周囲の部材の設置スペースを侵害することなく、容量の大きな尿素水タンクを配置することができる。
【図面の簡単な説明】
【００２６】
【図１】本発明の第１の実施の形態に適用される油圧ショベルを示す正面図である。
【図２】上部旋回体を建屋カバーの一部を省略した状態で示す平面図である。
【図３】上部旋回体の前側部分を拡大して示す外観斜視図である。
【図４】燃料タンクと尿素水タンクと旋回フレームの一部とを示す要部拡大の斜視図である。
【図５】燃料タンクを単体で示す外観斜視図である。
【図６】燃料タンクを図５中の矢示VI−VI方向からみた断面図である。
【図７】燃料タンクを分解した状態で示す分解斜視図である。
【図８】旋回フレーム、燃料タンク、物品収容箱、尿素水タンク等を図２中の矢示VIII−VIII方向からみた断面図である。
【図９】燃料タンクから尿素水タンクを分離した状態を示す要部拡大の斜視図である。
【図１０】後処理装置の構成をエンジンと共に示す構成図である。
【図１１】本発明の第２の実施の形態による尿素水タンクを図８と同様位置からみた断面図である。
【図１２】本発明の参考例による尿素水タンクを図８と同様位置からみた断面図である。
【図１３】本発明の第３の実施の形態による燃料タンク、尿素水タンク等を示す斜視図である。
【図１４】本発明の第４の実施の形態による尿素水タンク等を図３と同様位置からみた斜視図である。
【図１５】変形例による尿素水タンク等を図８と同様位置からみた断面図である。
【発明を実施するための形態】
【００２７】
以下、本発明の実施の形態に係る建設機械として、クローラ式の油圧ショベルを例に挙げ、添付図面に従って詳細に説明する。
【００２８】
図１ないし図１０は本発明の第１の実施の形態を示している。この第１の実施の形態では、尿素水タンクは、前カバーの内側に位置して貯油タンクに添って配置する構成とした場合を例示している。
【００２９】
図１において、１は土砂の掘削作業等に用いられる建設機械としての油圧ショベルである。この油圧ショベル１は、自走可能なクローラ式の下部走行体２と、該下部走行体２上に旋回可能に搭載され、該下部走行体２と共に走行体を構成する上部旋回体３と、該上部旋回体３の前側に俯仰動可能に設けられた作業装置４とにより大略構成されている。
【００３０】
また、上部旋回体３は、後述の旋回フレーム５、エンジン６、キャブ１０、作動油タンク１１、燃料タンク１２、物品収容箱１６、前カバー２０、後処理装置２１、尿素水タンク２４等により大略構成されている。
【００３１】
５は支持フレームとしての旋回フレームである。この旋回フレーム５は、図２に示す如く、前，後方向に延びる厚肉な底板５Ａと、該底板５Ａ上に立設され、左，右方向に所定の間隔をもって前，後方向に延びた左縦板５Ｂ，右縦板５Ｃと、該各縦板５Ｂ，５Ｃから左，右方向の外向きに延び前，後方向に間隔をもって配置された複数本の張出しビーム５Ｄ，５Ｅ（図８参照）と、左，右方向の外側に位置して各張出しビーム５Ｄ，５Ｅの先端に取付けられ、前，後方向に延びた左サイドフレーム５Ｆ，右サイドフレーム５Ｇとにより支持構造部材として構成されている。
【００３２】
ここで、前側に位置する張出しビーム５Ｄは、図８に示すように、後述する燃料タンク１２の前側部分を支持するものである。また、張出しビーム５Ｄは、上側の平坦部分が前方に延びて形成され、これにより、張出しビーム５Ｄ上には、尿素水タンク２４を取付けることもできる。
【００３３】
６は旋回フレーム５の後側に設けられたエンジン（図２参照）で、該エンジン６は、ディーゼルエンジンとして構成され、旋回フレーム５に横置き状態で搭載されている。このエンジン６には、排気ガスを排出するための排気管７が設けられている。
【００３４】
ここで、ディーゼルエンジン６は、高効率で耐久性に優れているが、窒素酸化物（ＮＯｘ）等の有害物質が排気ガスと一緒に排出されてしまう。そこで、排気管７に取付けられる後述の後処理装置２１は、図１０に示すように、窒素酸化物（ＮＯｘ）を除去するＮＯｘ浄化装置２３を収容筒体２２内に収容している。
【００３５】
８はエンジン６の左側に設けられた熱交換装置（図２参照）で、該熱交換装置８は、エンジン冷却水を冷やすラジエータ、作動油を冷却するオイルクーラ、エンジン６が吸込む空気を冷却するインタクーラ等により構成されている。また、９はエンジン６の右側に取付けられた油圧ポンプで、該油圧ポンプ９は、エンジン６によって駆動されることにより、作動油タンク１１からの作動油を圧油として吐出するものである。
【００３６】
１０は旋回フレーム５の左前側に設けられたキャブである。このキャブ１０は、油圧ショベル１を運転するためにオペレータが搭乗するもので、内部には、オペレータが着座する運転席、各種操作を行うレバー、ペダル等（いずれも図示せず）が配設されている。
【００３７】
１１はエンジン６の前側に位置して旋回フレーム５の右側に設けられた貯油タンクとしての作動油タンクを示している。この作動油タンク１１は、上，下方向に延びる直方体状の耐圧タンクとして形成されている。
【００３８】
１２は作動油タンク１１の前側に隣接するように旋回フレーム５の右側に設けられた貯油タンクとしての燃料タンクを示している。この燃料タンク１２は、規定の稼働時間作業するのに十分な燃料を貯えることができる。また、燃料タンク１２は、図４ないし図９に示す如く、後述する第１の板体１３、第２の板体１４等により大略構成されている。
【００３９】
１３は燃料タンク１２を構成する第１の板体である。この第１の板体１３は、その前，後方向寸法Ｌ1が後述する第２の板体１４の前，後方向寸法Ｌ2よりも小さな寸法に形成されている（Ｌ1＜Ｌ2）。また、第１の板体１３は、短冊状に切出した１枚の金属板をＵ字状に折り曲げることにより形成されている。即ち、第１の板体１３は、図７に示すように、下側に位置して水平方向に延びた長方形状の下面板１３Ａと、該下面板１３Ａの前，後方向の両側からそれぞれ上向きに屈曲して平行に延びた前面板１３Ｂ，後面板１３Ｃとより構成されている。
【００４０】
また、前面板１３Ｂには、高さ方向の中間位置に左，右方向に離間して２個のねじ穴１３Ｄが設けられている。この２個のねじ穴１３Ｄは、後述する尿素水タンク２４を固定する固定具２６を取付けるためのボルト２７が螺着されるものである。さらに、前面板１３Ｂの上側位置には、後述する第３のステップ板１９が取付けられる。
【００４１】
１４は第１の板体１３に被さるように設けられた第２の板体で、該第２の板体１４は、その前，後方向寸法Ｌ2が第１の板体１３の前，後方向寸法Ｌ1よりも大きな寸法に形成されている（Ｌ2＞Ｌ1）。また、第２の板体１４は、第１の板体１３とほぼ同様に、短冊状に切出した１枚の金属板を逆Ｕ字状に折り曲げることにより形成されている。即ち、第２の板体１４は、上側に位置して水平方向に延びた長方形状の上面板１４Ａと、該上面板１４Ａの左，右方向の両側からそれぞれ下向きに屈曲して平行に延びた左面板１４Ｂ，右面板１４Ｃとより構成されている。また、第２の板体１４の上面板１４Ａには、燃料タンク１２内に燃料を給油するための給油口１４Ｄが設けられている。
【００４２】
ここで、燃料タンク１２を構成する第１の板体１３と第２の板体１４との組立構造について述べる。まず、前述したように、第２の板体１４の前，後方向寸法となる幅寸法Ｌ2は、第１の板体１３の前，後方向寸法となる前面板１３Ｂ，後面板１３Ｃ間の寸法Ｌ1よりも大きな前，後方向寸法に設定されている（Ｌ2＞Ｌ1）。従って、図７に示すように、第２の板体１４の左面板１４Ｂ，右面板１４Ｃ間に第１の板体１３の前面板１３Ｂ，後面板１３Ｃを周方向に９０度ずらした状態で配置し、第１の板体１３の周縁を第２の板体１４に気液密に溶接する。
【００４３】
これにより、燃料タンク１２は、第１の板体１３の前面板１３Ｂ、後面板１３Ｃと第２の板体１４の左面板１４Ｂ、右面板１４Ｃとが外周面を形成した角筒形の周壁面板を形成し、該周壁面板の下面を第１の板体１３の下面板１３Ａが閉塞し、さらに、前記周壁面板の上面を第２の板体１４の上面板１４Ａが閉塞する。
【００４４】
このときに、周壁面板を構成する第１の板体１３の前面板１３Ｂ、後面板１３Ｃよりも外側に張出した上面板１４Ａの前，後部分がフランジ部１４Ａ1，１４Ａ2となる。また、第１の板体１３の前面板１３Ｂ、後面板１３Ｃよりも外側に張出した左面板１４Ｂ、右面板１４Ｃの前，後部分がフランジ部１４Ｂ1，１４Ｂ2、１４Ｃ1，１４Ｃ2となる。即ち、前，後のフランジ部１４Ａ1，１４Ａ2、１４Ｂ1，１４Ｂ2、１４Ｃ1，１４Ｃ2は、第１の板体１３の前，後方向寸法Ｌ1と第２の板体１４の前，後方向寸法Ｌ2との寸法差によって形成されるものである。
【００４５】
そして、燃料タンク１２の外周面の前側には、上面板１４Ａの前フランジ部１４Ａ1の範囲で上，下方向に投影され、左面板１４Ｂ，右面板１４Ｃの前フランジ部１４Ｂ1，１４Ｃ1の範囲で左，右方向に投影された前余剰空間部１５Ａ（図５、図６等に格子状に示す部分）を形成することができる。同様に、燃料タンク１２の外周面の後側には、上面板１４Ａの後フランジ部１４Ａ2の範囲で上，下方向に投影され、左面板１４Ｂ，右面板１４Ｃの後フランジ部１４Ｂ2，１４Ｃ2の範囲で左，右方向に投影された後余剰空間部１５Ｂを形成することができる。
【００４６】
この前，後の余剰空間部１５Ａ，１５Ｂは、２枚の板体１３，１４を溶接して燃料タンク１２を形成するときに必然的に形成される空間となっている。この前，後の余剰空間部１５Ａ，１５Ｂのうち、燃料タンク１２と後述の物品収容箱１６との間の余剰空間部１５Ａに入り込んだ状態で尿素水タンク２４が配置されている。
【００４７】
また、燃料タンク１２は、前側部分が前側に位置する張出しビーム５Ｄおよび右サイドフレーム５Ｇ上に取付けられ、後側部分が張出しビーム５Ｄの後側に位置する張出しビーム５Ｅおよび右サイドフレーム５Ｇ上に取付けられている。ここで、燃料タンク１２の前側部分が取付けられる前側の張出しビーム５Ｄには、尿素水タンク２４が配置されている。
【００４８】
１６は旋回フレーム５の右前部に設けられた物品収容箱である。この物品収容箱１６は、修理用の工具、グリースガン、消耗部品、油圧機器等を収容するもので、燃料タンク１２の前側に所定の間隔寸法をもって配設されている。また、物品収容箱１６は、旋回フレーム５上に取付けられ、上方が開口したボックス状の箱体部１６Ａと、該箱体部１６Ａの上側を閉塞するように設けられた蓋部１６Ｂとにより構成されている。そして、蓋部１６Ｂは、後部が箱体部１６Ａに回動可能に取付けられ、これにより、前方に向けて開閉することができる。
【００４９】
ここで、物品収容箱１６は、後述の尿素水タンク２４を収容していないから、容量を大きくすることができ、必要量の工具、消耗品等を収容でき、また、容易に出し入れすることもできる。さらに、制御弁等の油圧機器を収容した場合には、この油圧機器のメンテナンス作業を容易に行うことができる。また、物品収容箱１６の蓋部１６Ｂには、後述する第２のステップ板１８が一体的に設けられている。
【００５０】
１７，１８，１９は上部旋回体３の右前側に設けられた３段のステップ板を示している。第１のステップ板１７は、物品収容箱１６よりも前方に延びるように、旋回フレーム５の右前部に取付けられている。また、第２のステップ板１８は、物品収容箱１６の蓋部１６Ｂ上に一体的に設けられている。さらに、第３のステップ板１９は、後述する尿素水タンク２４よりも上方となる高さ位置で、燃料タンク１２を構成する第１の板体１３の前面板１３Ｂの上側部位に溶接手段、ねじ止め手段等を用いて固着されている。
【００５１】
これにより、３段のステップ板１７，１８，１９は、下部走行体２上から順番に足をかけることにより、上部旋回体３上に容易に乗ることができ、燃料タンク１２への給油作業、尿素水タンク２４への給水作業等を容易に、かつ安全に行うことができる。
【００５２】
２０は燃料タンク１２と物品収容箱１６との間に設けられた前カバーで、該前カバー２０は、燃料タンク１２と物品収容箱１６との間の空間を隠蔽することにより外観上の見栄えを良好にするものである。また、前カバー２０は、燃料タンク１２の第１の板体１３から前側に連続するように設けられた周面部２０Ａと、該周面部２０Ａの前側を閉塞する前面部２０Ｂとにより形成されている。さらに、前カバー２０は、燃料タンク１２と物品収容箱１６との間を滑らかに接続するために、その上側部分が前，後方向に狭幅に形成されている。そして、前カバー２０の上側部分には、第３のステップ板１９を前方に突出させるためのステップ挿通開口２０Ｃが設けられ、該ステップ挿通開口２０Ｃの下側には、尿素水タンク２４の給水口２４Ｇを外部に露出させるための給水用開口２０Ｄが設けられている。
【００５３】
次に、第１の実施の形態の特徴部分となるＮＯｘ浄化装置２３等を備えた後処理装置２１の構成について、図１０等を参照しつつ述べる。
【００５４】
２１はエンジン６の排気管７に接続して設けられた後処理装置である。この後処理装置２１は、排気ガス中の窒素酸化物（ＮＯｘ）を還元剤となる尿素水溶液を用いて浄化する後述のＮＯｘ浄化装置２３を備えるものである。そして、後処理装置２１は、後述の収容筒体２２、ＮＯｘ浄化装置２３等により大略構成されている。
【００５５】
２２は後処理装置２１の収容筒体で、該収容筒体２２は、前，後方向に延びた中空な筒体として形成され、該収容筒体２２の内部にはＮＯｘ浄化装置２３の尿素選択還元触媒２３Ａと酸化触媒２３Ｂとを収容している。また、収容筒体２２は、その上流側（前側）がエンジン６の排気管７に接続されている。
【００５６】
２３は収容筒体２２内に設けられたＮＯｘ浄化装置である。このＮＯｘ浄化装置２３は、尿素水溶液を利用して排気ガス中の窒素酸化物（ＮＯｘ）を浄化するものである。また、ＮＯｘ浄化装置２３は、例えば収容筒体２２内の上流側に収容された尿素選択還元触媒２３Ａと、該尿素選択還元触媒２３Ａの下流側に配置された酸化触媒２３Ｂと、尿素選択還元触媒２３Ａの上流側、例えば排気管７に設けられた尿素噴射弁２３Ｃとにより大略構成されている。また、尿素噴射弁２３Ｃは、後述の尿素供給配管２８、供給ポンプ２９を介して尿素水タンク２４に接続されている。
【００５７】
ここで、ＮＯｘ浄化装置２３は、尿素噴射弁２３Ｃにより排気ガス中に尿素水溶液を噴射し、尿素選択還元触媒２３Ａにより尿素水溶液から生成されたアンモニアを用いて排気ガス中のＮＯｘを還元反応させ、水と窒素に分解する。そして、酸化触媒２３Ｂによって排気ガス中のアンモニアを低減させるものである。
【００５８】
次に、燃料タンク１２と物品収容箱１６との間に設けられた第１の実施の形態による尿素水タンク２４について、図４、図８、図９等を参照しつつ述べる。
【００５９】
図４において、２４はＮＯｘ浄化装置２３を構成する尿素水タンクで、該尿素水タンク２４は、尿素選択還元触媒２３Ａの上流側に噴射するための尿素水溶液を貯えるものである。また、尿素水タンク２４は、燃料タンク１２を構成する第１の板体１３の前面板１３Ｂの外周側（前側）に位置して上面板１４Ａの前フランジ部１４Ａ1の範囲で上，下方向に投影され、左面板１４Ｂ，右面板１４Ｃの前フランジ部１４Ｂ1，１４Ｃ1の範囲で左，右方向に投影される前余剰空間部１５Ａに入り込んだ状態で配置されている。
【００６０】
具体的には、尿素水タンク２４は、前，後方向に扁平で第３のステップ板１９の下側に収まる高さ寸法をもった箱状体として形成され、これにより、前カバー２０によって隠蔽された状態で燃料タンク１２の前側に添って配置することができる。また、尿素水タンク２４は、前面部２４Ａ、後面部２４Ｂ、左面部２４Ｃ、右面部２４Ｄ、上面部２４Ｅおよび下面部２４Ｆからなり、前面部２４Ａの上部左側寄りには、尿素水を給水するための給水口２４Ｇが設けられている。
【００６１】
そして、尿素水タンク２４の後面部２４Ｂと下面部２４Ｆには、弾性を有する板状のクッション材２５Ａ，２５Ｂが固着され、燃料タンク１２を構成する第１の板体１３の前面板１３Ｂにクッション材２５Ａを当接させ、旋回フレーム５の張出しビーム５Ｄにクッション材２５Ｂを当接させた状態で配設されている。この状態で、尿素水タンク２４は、図９に示すように、長板を略コ字状に折り曲げてなる固定具２６を前側から押えるように配置し、この固定具２６の両端部に挿通したボルト２７を前面板１３Ｂに設けたねじ穴１３Ｄに螺着することにより、燃料タンク１２の前側に添うように固定されている。
【００６２】
ここで、第１の実施の形態による尿素水タンク２４は、燃料タンク１２と物品収容箱１６との間に配置され、かつ、後側部分が燃料タンク１２の前側に形成された前余剰空間部１５Ａに入り込んでいるから、物品収容箱１６を小型化することなく、長時間稼働するために必要な量の尿素水を貯えることができる容量を得ることができる。また、尿素水タンク２４は、燃料タンク１２の前側に添って配置しているから、燃料タンク１２への燃料作業を容易にするための各ステップ板１７，１８，１９を利用して尿素水を簡単に給水することができる。さらに、尿素水タンク２４は、前カバー２０によって覆い隠すことができるから、外観上の見栄えも良好にすることもできる。
【００６３】
２８は尿素水タンク２４と尿素噴射弁２３Ｃとを接続して設けられた接続配管としての尿素供給配管である。この尿素供給配管２８の途中には供給ポンプ２９が設けられている。これにより、尿素水タンク２４内の尿素水は、尿素供給配管２８を介して尿素噴射弁２３Ｃに加圧状態で供給することができる。
【００６４】
第１の実施の形態による油圧ショベル１は上述の如き構成を有するもので、次に、その動作について説明する。
【００６５】
まず、オペレータは、キャブ１０に搭乗し、エンジン６を始動して油圧ポンプ９を駆動する。そして、走行用のレバー等を操作することにより、下部走行体２を前進または後退させることができる。一方、作業用のレバーを操作することにより、作業装置４を俯仰動させて土砂の掘削作業等を行うことができる。
【００６６】
また、エンジン６の運転時には、その排気管７から有害物質である窒素酸化物（ＮＯｘ）が排出される。このときには、尿素水タンク２４内の尿素水溶液を、供給ポンプ２９を用いて尿素供給配管２８からＮＯｘ浄化装置２３の尿素噴射弁２３Ｃに供給する。これにより、ＮＯｘ浄化装置２３は、尿素噴射弁２３Ｃから排気ガス中に尿素水溶液を噴射してアンモニアを生成する。これにより、尿素選択還元触媒２３Ａでは、窒素酸化物を水と窒素に還元し、酸化触媒２３Ｂを経て外部に排出することにより、窒素酸化物の排出量を低減することができる。
【００６７】
また、尿素水タンク２４に尿素水を補給する場合には、燃料タンク１２に燃料を補給する場合と同様に、下部走行体２から第１のステップ板１７に上がり、第３のステップ板１９の下側に配置された給水口２４Ｇから尿素水を簡単に給することができる。
【００６８】
かくして、第１の実施の形態によれば、燃料タンク１２は、周壁面板をなす第１の板体１３の前面板１３Ｂよりも第２の板体１４の上面板１４Ａのフランジ部１４Ａ1を外側に張出し、左面板１４Ｂのフランジ部１４Ｂ1、右面板１４Ｃのフランジ部１４Ｃ1を外側に張出すことにより、前面板１３Ｂの前面側には、前記上面板１４Ａのフランジ部１４Ａ1の範囲で上，下方向に投影され、左面板１４Ｂ，右面板１４Ｃのフランジ部１４Ｂ1，１４Ｃ1の範囲で左，右方向に投影される前余剰空間部１５Ａを形成している。この上で、尿素水タンク２４は、その後側部分が前記前余剰空間部１５Ａに入り込んだ状態で燃料タンク１２に添って配置する構成としている。
【００６９】
従って、尿素水タンク２４は、燃料タンク１２に形成される前余剰空間部１５Ａを利用し、この前余剰空間部１５Ａに入り込むことにより、物品収容箱１６に収容したり、物品収容箱１６を小型化することなく、尿素水の容量を大きくすることができる。
【００７０】
この結果、尿素水タンク２４の容量を大きくした場合でも、物品収容箱１６の容量を確保できるから、工具、消耗品等を十分に収容することができる。また、尿素水タンク２４は、燃料タンク１２に添って配置しているから、燃料タンク１２に燃料を給油するために設けられた第１のステップ板１７等を利用することで、尿素水を充填するときに容易にアクセスすることができ、尿素水を給水するときの作業性を向上することができる。
【００７１】
しかも、尿素水タンク２４は、燃料タンク１２と物品収容箱１６との間に配置することにより、前余剰空間部１５Ａに加えて、燃料タンク１２と物品収容箱１６との間に形成される空間部も設置スペースとして利用することができ、容量をより一層大きくすることができる。
【００７２】
また、第１の実施の形態による燃料タンク１２は、下面板１３Ａの前，後方向の両側から前面板１３Ｂと後面板１３Ｃとがそれぞれ上側に延びたＵ字状の第１の板体１３と、該第１の板体１３の前，後方向寸法Ｌ1よりも大きな前，後方向寸法Ｌ2を有し、上面板１４Ａの左，右方向の両側から左面板１４Ｂと右面板１４Ｃとがそれぞれ下側に延びた逆Ｕ字状の第２の板体１４とを接合することにより構成しているから、２枚の板体１３，１４によって中空容器を簡単に形成することができる。
【００７３】
この場合、上面板１４Ａには、第１の板体１３と第２の板体１４との前，後方向の寸法差により、前面板１３Ｂ、後面板１３Ｃよりも前，後方向に張出したフランジ部１４Ａ1，１４Ａ2を形成することができる。また、左面板１４Ｂ、右面板１４Ｃには、前面板１３Ｂ、後面板１３Ｃよりも前，後方向に張出したフランジ部１４Ｂ1，１４Ｂ2、１４Ｃ1，１４Ｃ2を形成することができる。これにより、このフランジ部１４Ａ1，１４Ａ2、１４Ｂ1，１４Ｂ2、１４Ｃ1，１４Ｃ2の範囲で上，下方向、左，右方向に投影される前，後の余剰空間部１５Ａ，１５Ｂを形成できる。
【００７４】
従って、尿素水タンク２４は、燃料タンク１２の前面板１３Ｂの外周側に位置して前記上面板１４Ａの前記前フランジ部１４Ａ1の範囲で上，下方向に投影され、前記左面板１４Ｂ、右面板１４Ｃの前記前フランジ部１４Ｂ1、１４Ｃ1の範囲で左，右方向に投影される前余剰空間部１５Ａに入り込んだ状態で配置することができる。これにより、物品収容箱１６等の周囲の部材の設置スペースを侵害することなく、容量の大きな尿素水タンク２４を配置することができる。
【００７５】
さらに、燃料タンク１２と物品収容箱２４との間には、該燃料タンク１２と物品収容箱１６との間を覆う前カバー２０を設け、尿素水タンク２４は、この前カバー２０によって隠蔽された状態で配置する構成としている。これにより、尿素水タンク２４は、前カバー２０によって覆い隠すことができ、外観上の見栄えを良好にすることができる。
【００７６】
次に、図１１は本発明の第２の実施の形態を示している。本実施の形態の特徴は、尿素水タンクを第３のステップ板よりも高く形成したことにある。なお、第２の実施の形態では、前述した第１の実施の形態と同一の構成要素に同一の符号を付し、その説明を省略するものとする。
【００７７】
３１は第１の実施の形態による前カバー２０に代えて用いられた第２の実施の形態による前カバーを示している。この前カバー３１は、第１の実施の形態による前カバー２０とほぼ同様に、周面部３１Ａと前面部３１Ｂとにより形成されている。しかし、第２の実施の形態による前カバー３１には、ステップ挿通開口がなく、第３のステップ板３２が直接的に取付けられ、その取付部の上側位置に給水用開口３１Ｃが設けられている。
【００７８】
３３は前カバー３１内に設けられた第２の実施の形態による尿素水タンクで、該尿素水タンク３３は、前余剰空間部１５Ａに入り込んだ状態で燃料タンク１２に添って配置されている。また、第２の実施の形態による尿素水タンク３３は、第１の実施の形態による尿素水タンク２４とほぼ同様に、前面部３３Ａ、後面部３３Ｂ、左面部３３Ｃ、右面部（図示せず）、上面部３３Ｄおよび下面部３３Ｅにより箱状体として形成されている。しかし、第２の実施の形態による尿素水タンク３３は、第３のステップ板３２を超える高さ寸法に形成され、上面部３３Ｄに給水口３３Ｆが設けられている点で第１の実施の形態による尿素水タンク２４と相違している。
【００７９】
かくして、このように構成された第２の実施の形態においても、前述した第１の実施の形態とほぼ同様の作用効果を得ることができる。特に、第２の実施の形態では、尿素水タンク３３は、その高さ寸法を大きくしたことにより、容量をさらに大きくすることができる。
【００８０】
次に、図１２は本発明の参考例を示している。この参考例の特徴は、尿素水タンクによって前カバーを兼ねる構成としたことにある。なお、参考例では、前述した第１の実施の形態と同一の構成要素に同一の符号を付し、その説明を省略するものとする。
【００８１】
４１は第１の実施の形態による尿素水タンク２４に代えて用いられた参考例による尿素水タンクを示している。この尿素水タンク４１は、第１の実施の形態による尿素水タンク２４と相違し、外部に露出した状態で設けられている。また、尿素水タンク４１は、燃料タンク１２と物品収容箱１６との間に位置し、後側部分が余剰空間部１５Ａに入り込んだ状態で燃料タンク１２に添って配置されている。
【００８２】
そして、尿素水タンク４１は、前面部４１Ａ、後面部４１Ｂ、左面部４１Ｃ、右面部（図示せず）、上面部４１Ｄおよび下面部４１Ｅにより異形な箱状体として形成されている。ここで、尿素水タンク４１は、その前，後方向寸法が燃料タンク１２を構成する第１の板体１３の前面板１３Ｂと物品収容箱１６の後面との間隔寸法よりも僅かに小さな寸法に設定されている。これにより、尿素水タンク４１は、前，後方向に大きな寸法に形成することができる。
【００８３】
また、前面部４１Ａの上側部分は、第１の実施の形態による前カバー２０の上側部分とほぼ同様に、上側に向け後側に傾斜しており、燃料タンク１２と物品収容箱１６との間を滑らかに接続している。これにより、尿素水タンク４１は、燃料タンク１２と物品収容箱１６との間を外観上で滑らかに接続する前カバーを兼ねることができる。一方、上面部４１Ｄには給水口４１Ｆが設けられ、前面板４１Ａの上側部分には第３のステップ板４２が取付けられている。
【００８４】
かくして、このように構成された参考例においても、前述した第１の実施の形態とほぼ同様の作用効果を得ることができる。特に、参考例では、尿素水タンク４１の容量を余剰空間部１５Ａ等のスペースが許す範囲で最大限に大きくすることができる。また、尿素水タンク４１は、前カバーを兼ねているから、部品点数を削減することができ、組立作業性等を向上することができる。
【００８５】
次に、図１３は本発明の第３の実施の形態を示している。本実施の形態の特徴は、貯油タンクの外周面を形成する周壁面板を円筒形に形成したことにある。なお、第３の実施の形態では、前述した第１の実施の形態と同一の構成要素に同一の符号を付し、その説明を省略するものとする。
【００８６】
５１は第１の実施の形態による燃料タンク１２に代えて用いられた第３の実施の形態による貯油タンクとしての燃料タンクを示している。この燃料タンク５１は、外周面を形成する円筒形の周壁面板５１Ａと、該周壁面板５１Ａの下面を閉塞する矩形状の下面板５１Ｂと、前記周壁面板５１Ａの上面を閉塞し周壁面板５１Ａよりも外側に張出したフランジ部５１Ｃ1を有する矩形状の上面板５１Ｃとにより形成されている。また、周壁面板５１Ａの外周面側には、上面板５１Ｃのフランジ部５１Ｃ1の範囲で上，下方向に投影される環状の余剰空間部５２を形成している。
【００８７】
５３は燃料タンク５１の前側に添って設けられた第３の実施の形態による尿素水タンクで、該尿素水タンク５３は、第１の実施の形態による尿素水タンク２４とほぼ同様に、前面部５３Ａ、後面部５３Ｂ、左面部５３Ｃ、右面部５３Ｄ、上面部５３Ｅおよび下面部５３Ｆにより箱状体として形成されている。しかし、第３の実施の形態による尿素水タンク５３は、円筒状に形成された燃料タンク５１の周壁面板５１Ａに対面する後面部５３Ｂが、周壁面板５１Ａの円筒形状に対応するように凹円弧状に形成されている。また、前面部５３Ａの上側位置には給水口５３Ｇが設けられている。
【００８８】
そして、尿素水タンク５３は、後面部５３Ｂと下面部５３Ｆにクッション材５４Ａ，５４Ｂが固着され、燃料タンク５１を構成する周壁面板５１Ａにクッション材５４Ａを当接させ、旋回フレーム５の張出しビーム５Ｄにクッション材５４Ｂを当接させることにより、環状の余剰空間部５２のうち、燃料タンク５１と物品収容箱１６との間となる前側部分に入り込んだ状態で配設されている。この状態で、尿素水タンク５３は、長板を略コ字状に折り曲げてなる固定具５５を、周壁面板５１Ａに回したベルト５６にボルト５７を用いて取付けることにより、燃料タンク５１の前側に添うように固定することができる。
【００８９】
かくして、このように構成された第３の実施の形態においても、前述した第１の実施の形態とほぼ同様の作用効果を得ることができる。特に、第３の実施の形態では、円筒状の周壁面板５１Ａを備えた燃料タンク５１に対しても、余剰空間部５２に入り込んだ状態で尿素水タンク５３を配置することができる。
【００９０】
次に、図１４は本発明の第４の実施の形態を示している。本実施の形態の特徴は、給水用の開口を前カバーの右側寄りに配置したことにある。なお、第４の実施の形態では、前述した第１の実施の形態と同一の構成要素に同一の符号を付し、その説明を省略するものとする。
【００９１】
６１は第１の実施の形態による前カバー２０に代えて用いられた第４の実施の形態による前カバーを示している。この前カバー６１は、第１の実施の形態による前カバー２０とほぼ同様に、周面部６１Ａと前面部６１Ｂとにより形成され、該前面部６１Ｂの上側部分には、左側寄りに位置して第３のステップ板１９を前方に突出させるためのステップ挿通開口６１Ｃが設けられている。しかし、第４の実施の形態による前カバー６１は、後述する尿素水タンク６２の給水口６２Ａを外部に露出させるための給水用開口６１Ｄが右側寄りに設けられている点で、第１の実施の形態による前カバー２０と相違している。
【００９２】
また、給水用開口６１Ｄには、該給水用開口６１Ｄを覆う蓋体６１Ｅが開閉可能に取付けられている。これにより、蓋体６１Ｅは、給水口６２Ａを覆って保護することができ、また、見栄えを良くすることができる。
【００９３】
６２は前カバー６１内に設けられた第４の実施の形態による尿素水タンク（点線で図示）で、該尿素水タンク６２は、第１の実施の形態による尿素水タンク２４とほぼ同様に構成されている。しかし、第４の実施の形態による尿素水タンク６２は、給水口６２Ａが前カバー６１の給水用開口６１Ｄに対応するように右側寄りに設けられている点で第１の実施の形態による尿素水タンク２４と相違している。
【００９４】
かくして、このように構成された第４の実施の形態においても、前述した第１の実施の形態とほぼ同様の作用効果を得ることができる。特に、第４の実施の形態によれば、前カバー６１の給水用開口６１Ｄは、左側寄りのステップ挿通開口６１Ｃと異なる右側寄りに設けているから、第３のステップ板１９に邪魔されることなく、給水口６２Ａから尿素水タンク６２に円滑に給水することができる。また、給水用開口６１Ｄには、蓋体６１Ｅを取付けているから、給水口６２Ａを覆って保護することができ、また、見栄えを良くすることができる。
【００９５】
なお、第１の実施の形態では、尿素水タンク２４を、長板を略コ字状に折り曲げてなる固定具２６を用いて燃料タンク１２の前側に添うように固定した場合を例に挙げて説明した。しかし、本発明はこれに限らず、例えば図１５に示す変形例のように、尿素水タンク７１を取付ブラケット７２を用いて燃料タンク１２、旋回フレーム５にボルト止めする構成としてもよい。この構成は、他の実施の形態にも同様に適用できるものである。
【００９６】
また、第１の実施の形態では、貯油タンクとして燃料を貯える燃料タンク１２を例示し、この燃料タンク１２の前側に尿素水タンク２４を配置した場合を例に挙げて説明した。しかし、本発明はこれに限らず、作動油タンク１１に余剰空間部を設け、この余剰空間部に入り込むように尿素水タンク２４を配置する構成としてもよい。この構成は、他の実施の形態にも同様に適用できるものである。
【００９７】
さらに、各実施の形態では、建設機械として、クローラ式の油圧ショベル１を例に挙げて説明した。しかし、本発明はこれに限るものではなく、ホイール式の油圧ショベルに適用してもよい。それ以外にも、ホイールローダ、油圧クレーン等の他の建設機械にも広く適用することができる。
【符号の説明】
【００９８】
１  油圧ショベル（建設機械）
２  下部走行体（走行体）
３  上部旋回体（走行体）
５  旋回フレーム（支持フレーム）
６  エンジン
７  排気管
１１  作動油タンク（貯油タンク）
１２，５１  燃料タンク（貯油タンク）
１３  第１の板体
１３Ａ，５１Ｂ  下面板
１３Ｂ  前面板（周壁面板）
１３Ｃ  後面板（周壁面板）
１４  第２の板体
１４Ａ，５１Ｃ  上面板
１４Ａ1，１４Ａ2，１４Ｂ1，１４Ｂ2，１４Ｃ1，１４Ｃ2，５１Ｃ1  フランジ部
１４Ｂ  左面板（周壁面板）
１４Ｃ  右面板（周壁面板）
１４Ｄ  給油口
１５Ａ，１５Ｂ，５２  余剰空間部
１６  物品収容箱
１７，１８，１９，３２，４２  ステップ板
２０，３１，６１  前カバー
２１  後処理装置
２３  ＮＯｘ浄化装置
２３Ａ  尿素選択還元触媒
２３Ｂ  酸化触媒
２３Ｃ  尿素噴射弁
２４，３３，４１，５３，６２，７１  尿素水タンク
２４Ａ，３３Ａ，４１Ａ，５３Ａ  前面部
２４Ｂ，３３Ｂ，４１Ｂ，５３Ｂ  後面部
２４Ｃ，３３Ｃ，４１Ｃ，５３Ｃ  左面部
２４Ｄ，５３Ｄ  右面部
２４Ｅ，３３Ｄ，４１Ｄ，５３Ｅ  上面部
２４Ｆ，３３Ｅ，４１Ｅ，５３Ｆ  下面部
２４Ｇ，３３Ｆ，４１Ｆ，５３Ｇ，６２Ａ  給水口
２５Ａ，２５Ｂ，５４Ａ，５４Ｂ  クッション材
２８  尿素水供給配管（接続配管）
５１Ａ  周壁面板
Ｌ1  第１の板体の前，後方向寸法
Ｌ2  第２の板体の前，後方向寸法
【図１】
0005562777.tif 000002
【図２】
0005562777.tif 000003
【図３】
0005562777.tif 000004
【図４】
0005562777.tif 000005
【図５】
0005562777.tif 000006
【図６】
0005562777.tif 000007
【図７】
0005562777.tif 000008
【図８】
0005562777.tif 000009
【図９】
0005562777.tif 000010
【図１０】
0005562777.tif 000011
【図１１】
0005562777.tif 000012
【図１２】
0005562777.tif 000013
【図１３】
0005562777.tif 000014
【図１４】
0005562777.tif 000015
【図１５】
0005562777.tif 000016